(57)【要約】【課題】加工品の調整ボルトによらず、扉の幅方向の位置調整を可能にする扉取付用のヒンジを提供することである。【解決手段】据付対象物１０側に固定される固定部材２と、扉を回動可能に支持するヒンジ本体３とを係合させ、ヒンジ本体３側には複数の歯２２ａ，２２ｂを備えたラック部２２を設け、固定部材２側にはラック部２２の歯２２ａ，２２ｂと連通する孔９を設ける。孔９から係合具２４を挿入してラック部２２の歯２２ａと係合させ、係合具２４でラック部２２の歯２２ａを押圧移動させる。【選択図】図１
2011226106.tif 000002
【特許請求の範囲】
【請求項１】
門柱や壁等の据付対象物に固定され、扉を回動可能に支持する扉取付用のヒンジであって、
前記ヒンジは、据付対象物に固定される固定部材と、前記固定部材と係合すると共に固定部材に対して相対移動可能で、且つ、扉が設置されるヒンジ本体と、
前記固定部材とヒンジ本体の相対移動を許容するか否かを切り替える切替手段を備えており、
前記ヒンジ本体には、固定部材との相対移動方向に複数の歯が並んだラック部が設けてあり、
前記固定部材には、前記ラック部の歯に連通する孔が設けてあり、
前記孔は、ラック部の歯と係合する係合具を挿入できる大きさを有しており、
ラック部の歯と係合した前記係合具を操作すると、固定部材に対してヒンジ本体が相対移動することを特徴とする扉取付用のヒンジ。
【請求項２】
前記孔の径は、係合具をちょうど挿入できる大きさであり、係合具には円周等間隔にラック部の歯と同じピッチの係合片が設けられていることを特徴とする請求項１に記載の扉取付用のヒンジ。
【請求項３】
前記係合具はドライバであることを特徴とする請求項１に記載の扉取付用のヒンジ。
【発明の詳細な説明】
【技術分野】
【０００１】
本発明は、門柱や壁等の据付対象物に扉を取り付けるのに使用される扉取付用のヒンジに関するものである。
【背景技術】
【０００２】
門柱等の据付対象物に揺動式の扉を取り付ける際、据付対象物に対する扉の位置（姿勢）の微調整が必要である。すなわち、仮に微調整ができなければ、扉を適切に開閉できない。また、観音開き式の扉では、据付対象物に対する扉の姿勢だけではなく、扉同士の位置関係の微調整も必要である。
【０００３】
そこで従来様々な工夫がなされ、扉を適切に開閉できるように、扉の姿勢や位置を微調整することができる発明（考案）が特許文献１に開示されている。特許文献１には、門扉の取付位置を前後方向（門扉を閉じた際の門扉の幅方向）と水平横方向（門扉を閉じた際の門扉の前後面方向）に調整することができる門扉用のヒンジが開示されている。
【先行技術文献】
【特許文献】
【０００４】
【特許文献１】登録実用新案第２５５４１５１号公報
【発明の概要】
【発明が解決しようとする課題】
【０００５】
図６（ａ）〜（ｃ）は、特許文献１の図１（ａ）〜（ｃ）である。図６（ａ）〜（ｃ）に示されるように特許文献１に開示されている門扉用のヒンジは、門柱９０に固定される固定用部材９１と、門扉を支持するヒンジ本体９２と、門扉の位置を幅方向に微調整するための調整ボルト９３とを備えている。ヒンジ本体９２には門扉を支持する枢支軸９５が設けられている。
【０００６】
ヒンジ本体９２の一部が固定用部材９１内に収容され、また、ヒンジ本体９２にはねじ孔９４が設けられている。調整ボルト９３は固定用部材９１の外側からねじ部を挿入し、ねじ部をヒンジ本体９２のねじ孔９４に螺合させる。また、調整ボルト９３には、固定用部材９１の内側で平座金９６と抜け止めのピン９７が設けられている。すなわち、調整ボルト９３にはピン９７を挿入するための孔加工が施されている。よって、調整ボルト９３は、固定用部材９１に対して回転は可能であるが、軸方向への移動は阻止されている。そして、調整ボルト９３のねじ孔９４へのねじ込み量を加減することによってヒンジ本体９２と一体の門扉の位置を微調整することができるようになっている。
【０００７】
ところでこの調整ボルト９３は、固定用部材９１に対して移動不能にする必要があり、前述の抜け止めのピン９７が貫通していることが不可欠である。よって、調整ボルト９３は、市販品で代用することができず、門扉用のヒンジのコストアップの要因となっている。しかし、コストダウンを図るためにこの調整ボルト９３を省略すると、門扉の幅方向の位置調整ができなくなってしまう。
【０００８】
そこで本発明は、加工品の調整ボルトによらず、扉の幅方向の位置調整を可能にする扉取付用のヒンジを提供することを目的とする。
【課題を解決するための手段】
【０００９】
上記課題を解決するための請求項１の発明は、門柱や壁等の据付対象物に固定され、扉を回動可能に支持する扉取付用のヒンジであって、前記ヒンジは、据付対象物に固定される固定部材と、前記固定部材と係合すると共に固定部材に対して相対移動可能で、且つ、扉が設置されるヒンジ本体と、前記固定部材とヒンジ本体の相対移動を許容するか否かを切り替える切替手段を備えており、前記ヒンジ本体には、固定部材との相対移動方向に複数の歯が並んだラック部が設けてあり、前記固定部材には、前記ラック部の歯に連通する孔が設けてあり、前記孔は、ラック部の歯と係合する係合具を挿入できる大きさを有しており、ラック部の歯と係合した前記係合具を操作すると、固定部材に対してヒンジ本体が相対移動することを特徴とする扉取付用のヒンジである。
【００１０】
請求項１の発明では、固定部材とヒンジ本体の相対移動を許容するか否かを切り替える切替手段を備え、この切替手段の切り替えによって、固定部材に対してヒンジ本体が固定状態となったり、移動可能状態になる。よって、据付対象物に対する扉の位置を調整する際には、切替手段を切り替えることにより固定部材に対してヒンジ本体を移動可能状態にすることができる。また、ヒンジ本体の位置調整後は、切替手段の切り替えによって固定部材（据付対象物）に対してヒンジ本体（扉）の位置を固定することができる。
【００１１】
また、ヒンジ本体には、固定部材との相対移動方向に複数の歯が並んだラック部が設けてあり、固定部材には、前記ラック部の歯に連通する孔が設けてあり、前記孔は、ラック部の歯と係合する係合具を挿入できる大きさを有している。よって、ラック部の歯は、固定部材を介して係合具で操作可能である。そして、ラック部の歯と係合した前記係合具を操作すると、固定部材に対してヒンジ本体が相対移動する。
すなわち、係合具で、固定部材の孔の位置にあるラック部の歯を移動方向に押圧することによって、ラック部を備えたヒンジ本体（扉）が固定部材（据付対象物）に対して相対移動する。
【００１２】
ヒンジ本体が相対移動した後は、切替手段を移動可能状態から固定状態に切り替えてヒンジ本体（扉）を固定部材（据付対象物）に対して相対移動できないようにすることができる。これにより、扉は据付対象物に対して位置が適正に調整され、その調整された位置で固定される。
【００１３】
請求項２の発明は、前記孔の径は、係合具をちょうど挿入できる大きさであり、係合具には円周等間隔にラック部の歯と同じピッチの係合片が設けられていることを特徴とする請求項１に記載の扉取付用のヒンジである。
【００１４】
請求項２の発明では、前記孔の径は、係合具をちょうど挿入できる大きさであるので、ラック部の歯と係合した係合具を回転させると、係合具の係合片がラック部の歯から反作用の力を受け、その際、係合具は孔の内壁で支持され、歯から受ける反作用の力に抗することができる。また、係合具には円周等間隔にラック部の歯と同じピッチの係合片が設けられているので、係合具は孔の内壁で支持されながら係合片でラック部の歯を押圧してラック部を移動させることができる。
【００１５】
ラック部は複数の歯を備えているので、押圧した歯が固定部材の孔の位置から外れると、隣接する別の歯が孔の位置に移動する。また、請求項２の発明では、係合片が円周等間隔にラック部の歯と同じピッチで設けられているので、係合具の回転に連動してラック部の歯が移動し、孔の位置に移動してきた別の歯と、別の係合片とが新たに係合する。その結果、連続して係合具はラック部を押圧して移動させることができる。よって、請求項２の発明を実施すると、係合具の回転量（回転数）で扉の移動量を調整することができるようになる。
【００１６】
請求項３の発明は、前記係合具はドライバであることを特徴とする請求項１に記載の扉取付用のヒンジである。
【００１７】
請求項３の発明では、係合具としてドライバを採用するので、特殊な工具や治具が不要である。また、ドライバを固定部材の孔に挿入して回転させるだけでヒンジ本体のラック部の歯を押圧移動させることができ、扉の位置調整が非常に簡単である。
【００１８】
また、係合具として汎用性のあるドライバが使用できるので、部材の紛失に気を遣う必要がなく、また、扉の設置場所において容易に扉の位置を微調整することができる。仮に、年月が経過して扉の位置がずれてきたとしても、容易に微調整することができる。すなわち、メンテナンスが容易である。
【発明の効果】
【００１９】
本発明を実施すると、従来必要であった加工された調整ボルトが不要の、据付対象物に対する扉の位置調整機能を備えた扉取付用のヒンジを安価に提供することができる。
【図面の簡単な説明】
【００２０】
【図１】本発明を実施した扉取付用のヒンジの、固定部材を透視して全体を俯瞰した斜視図である。
【図２】図１の扉取付用のヒンジの分解斜視図である。
【図３】（ａ）は図１の扉取付用のヒンジの平面図であり、（ｂ）は同正面図であり、（ｃ）は同背面図である。
【図４】図１の扉取付用のヒンジにおける本発明の主要部を示しており、（ａ）は、固定部材の孔を介して見えるラックの歯の正面図であり、（ｂ）は、係合具の断面図及びラックの歯の正面図であって、係合具の係合片がラックの歯に係合している状態を示しており、（ｃ）は、係合具の断面図及びラックの歯の正面図であって、（ｂ）の状態から係合具を回して歯から反力を受けた係合具が、固定部材の孔の内壁に当接している状態を示しており、（ｄ）は、係合具の断面図及びラックの歯の正面図であって、ラックの歯が回転する係合具に押圧されて移動した状態を示している。
【図５】本発明を実施した扉取付用のヒンジで門柱に取り付けられた扉の正面図である。
【図６】（ａ）〜（ｃ）は、各々特許文献１の図１（ａ）〜（ｃ）である。
【発明を実施するための形態】
【００２１】
以下、図面を参照しながら本発明の扉取付用のヒンジの構成を説明する。
図２に示すようにヒンジ１は、固定部材２とヒンジ本体３とから構成されている。固定部材２は、据付対象物１０に当接し固定される２つの取付部７と、取付部７に連続しており且つ取付部７に対して起立する上側接続部１１ａ，及び下側接続部１１ｂと、上下が各々上側接続部１１ａと下側接続部１１ｂに接続される張出部８とを備えている。すなわち、上側接続部１１ａ，下側接続部１１ｂ，及び張出部８で、略コの字形を形成しており、張出部８は、固定部材２を据付対象物１０に固定した際に、据付対象物１０から離間して配置される。また、図３（ａ）に示すように固定部材２には上側接続部１１ａ，下側接続部１１ｂ，及び張出部８の各々の一端と接続される閉塞部１２が設けてある。
【００２２】
各取付部７には孔６が設けてあり、門柱や壁等の据付対象物１０の側面には、孔６に対応する位置にねじ穴（図示せず）が設けられている。すなわち、据付対象物１０に固定部材２の取付部７を当接させ、孔６を介してねじ４をねじ穴に螺合させることによって固定部材２は据付対象物１０に固定される。ここで孔６を長孔にすると、据付対象物１０に対する固定部材２の取付位置を長孔の延びる方向に微調整することができる。
【００２３】
固定部材２が据付対象物１０の側面に取り付けられると、固定部材２と据付対象物１０との間に空間５が形成される。すなわち、固定部材２の張出部８，接続部１１ａ，１１ｂ，閉塞部１２と、据付対象物１０の側面とで一方が開口（開口１５）した空間５が仕切られている。この開口１５から空間５内に後述のヒンジ本体３が挿入される。
【００２４】
また、上側接続部１１ａには締付ボルト１７が螺合するねじ孔１６が設けてあり、下側接続部１１ｂの上面には抵抗部材１４を移動不能に嵌め込む凹部１３が設けてある。凹部１３に配置された抵抗部材１４は摩耗しにくい金属製であり、サンドブラスト等によって上面の摩擦係数が大きくなるように凹凸加工されており、さらに抵抗部材１４の上面は接続部１１ｂの上面よりも若干突出している。凹部１３は、ねじ孔１６の軸芯の延長線上に位置しており、締付ボルト１７がねじ孔１６に螺合してねじ込まれていくと、締付ボルト１７の先端（下端）は凹部１３に嵌め込まれた抵抗部材１４に接近する。
さらに固定部材２の張出部８には貫通孔９が設けてある。貫通孔９は、空間５の内外を連通させている。
【００２５】
次に、ヒンジ本体３について説明する。
ヒンジ本体３は、固定部材２の空間５内に収容される収容部１８と、扉２６（図５）を回転可能に支持する支軸１９とを備えている。すなわち、扉２６には支軸１９を嵌める壺金具２８（図５）が設けてあり、支軸１９が扉２６の壺金具２８に嵌ると、扉２６は揺動可能に支持される。収容部１８の上部には、有底穴２０が設けてある。有底穴２０は、ヒンジ本体３に対する後述の締付ボルト１７の移動範囲を規制する機能を備えている。
【００２６】
また、図３（ｃ）に示すように収容部１８の下部には抵抗部材２１が設けてある。抵抗部材２１は摩耗しにくい金属製であり、下面にはサンドブラスト等によって摩擦係数が大きくなるように凹凸が形成されており、空間５に収容部１８が収容された状態では、固定部材２側の抵抗部材１４と対向する。
【００２７】
さらに収容部１８の中央部分にはラック部２２と支持部２３とが設けてある。支持部２３は、図３（ａ）に示すようにヒンジ本体３の両側に突出して設けられており、一端は固定部材２の張出部８の内壁に当接しており、他端は据付対象物１０の側面に当接する。すなわち、空間５内に配置されたヒンジ部材３の揺動範囲は、支持部２３によって規制される。また、ラック部２２は複数の歯２２ａを備えている。
【００２８】
図３（ｃ）に示すように、収容部１８の下部には抵抗部材２１が設けられている。抵抗部材２１は、ヒンジ本体３の収容部１８を空間５内に配置した際に、固定部材２の抵抗部材１４と対向する。図３（ａ）に示すように、固定部材２側の抵抗部材１４は、ヒンジ本体３の幅方向に延びており、図３（ｃ）に示すように、ヒンジ本体３側の抵抗部材２１は、抵抗部材１４の延びる方向と直交する方向に延びている。
【００２９】
すなわち、固定部材２の抵抗部材１４とヒンジ本体３の抵抗部材２１は、固定部材２に対してヒンジ本体３が移動しても必ず交差して部分的に対向し、締付ボルト１７を締付けると、締付ボルト１７の下端がヒンジ本体３の有底穴２０の底部を押圧し、抵抗部材１４と抵抗部材２１とが圧着されて固定部材２に対してヒンジ本体３が固定される。締付ボルト１７による締め付けを弛めると、ヒンジ本体３は固定部材２に対して揺動及び図３の矢印Ａで示す左右方向（据付対象物１０に対して扉が接近又は離間する方向）に移動することができるようになる。
【００３０】
空間５内にヒンジ本体３の収容部１８が収容されると、図４（ａ）に示すように、固定部材２の貫通孔９からヒンジ本体３のラック部の一部の歯２２ａが見える。すなわち、固定部材２の貫通孔９と、ヒンジ本体３のラック部２２の一部の歯２２ａが近接対向する。
【００３１】
空間５内にヒンジ本体３の収容部１８を収容すると、図１や図３に示す状態となる。固定部材２が据付対象物１０に固定され、ヒンジ本体３の支軸１９に扉２６（図５）を装着した状態で、扉２６の位置を微調整するには、係合具であるドライバ２４を使用する。
本発明を実施した扉取付用のヒンジ１は、以上説明した構成を備えている。
【００３２】
次に、本発明を実施した扉取付用のヒンジによる扉の位置の調整方法を説明する。図５に示すように、据付対象物１０（門柱）に対して、２つのヒンジ１が上下に固定され、これらのヒンジ１に扉２６が装着される。据付対象物１０に対して、扉２６の位置が適切ではない場合には、上側のヒンジ１と下側のヒンジ１のいずれか又は両方で調整を行う。
ヒンジ１の固定部材２の貫通孔９にドライバ２４を差し込むと、図４（ｂ）に示すようにドライバ２４の先端２４ａ（係合片）がラック部２２の歯２２ａと係合する。
【００３３】
ヒンジ本体３（扉２６）を、図４（ｂ）において矢印Ｂで示す右方へ移動させる場合には、ドライバ２４を右回りに回転させる。ドライバ２４は、ラック部２２の歯２２ａから反力を受け、図４（ｃ）に示すようにドライバ２４は貫通孔９の左側の内壁９ａに押し付けられる。さらにドライバ２４を回転させると、ラック部２２の歯２２ａは右方へ移動し、貫通孔９から外れていき、代わりに隣接する歯２２ｂが貫通孔９から見えるようになる。ラック部２２の歯のピッチＰ１は、ドライバ２４の先端の間隔（係合片のピッチＰ２）と一致しているため、ドライバ２４を回転させると、図４（ｄ）に示すように、やがて歯２２ａと先端２４ａの係合は外れるが、代わりにラック部２２の歯２２ｂがドライバ２４の先端２４ｂと係合する。
【００３４】
ドライバ２４は、ラック部２２の歯が続く限り回転させることができ、ヒンジ本体３を右方（矢印Ｂで示す方向）へ移動させることができる。すなわち、ヒンジ本体３の移動量は、ドライバ２４の回転量で設定することができる。ちなみにドライバ２４を逆回りに回転させると、ヒンジ本体３（扉２６）は矢印Ｂで示す方向とは逆方向に移動する。すなわち、矢印Ｂで示す方向へ移動し過ぎた場合には、ドライバ２４を逆回りに回転させるだけでヒンジ本体３を矢印Ｂで示す方向と逆方向（左方）へ移動させて扉２６の位置を微調整することができる。このようにして位置が調整された後のヒンジ本体３の一例を、図３（ａ）の破線で示す。
【００３５】
そして、扉２６が所望する位置に配置されると、締付ボルト１７を締め付け、固定部材２に対してヒンジ本体３を固定する。固定後は、ドライバ２４でラック部２２の歯を操作しても、ヒンジ本体３は移動しない。すなわち、図５に示す上下のヒンジ１において、固定部材２に対してヒンジ本体３を微調整し且つその位置で固定すると、据付対象物１０に対して扉２６が適切な位置及び姿勢に保持される。
【００３６】
以上では、固定部材２に対してヒンジ本体３が矢印Ａ（又は矢印Ｂ）で示す方向（扉の幅方向、すなわち通路幅方向）に移動させて位置を固定する場合について説明したが、図３（ａ）に示すように、ヒンジ本体３は固定部材２に対して矢印Ｃで示す方向（通路方向）に支持部２３側を基点に支軸１９側を移動させることもできる。すなわち、支軸１９（扉２６）の位置を矢印Ａで示す方向と矢印Ｃで示す方向に調整し、締付ボルト１７を締付けることによって、扉２６を適切な位置に配置することができ、扉２６のヒンジ１と反対側に設けた錠２７（図５）が良好に施錠及び解錠できるようになる。
【００３７】
ドライバ２４は、ねじ４や締付ボルト１７の締付けに使用されるものを共用できるのが好ましい。すなわち、係合具としてのドライバ２４を、固定部材２を据付対象物１０に固定するねじ４や締め付けボルト１７を締付けるドライバとして共用できると、ヒンジ本体３（扉２６）の位置の微調整のためだけに別の係合具を用意する必要がなく、利便性が増す。
【００３８】
上述の例では、ラック部２２は歯車の歯のように規則正しく高さが揃った場合を示したが、ラック部２２の歯は、不規則な高さを有するものであっても差し支えない。また、歯の形状も歯車の歯のような形状である必要はない。すなわちラック部２２の歯は、係合具と確実に係合することができて、係合具を操作すると、ヒンジ本体３を移動させることができる大きさ及び形状であれば本発明は何等支障なく実施することができる。
【００３９】
また、上述の例では、固定部材２の張出部８に貫通孔９を設けた場合を説明したが、本発明はこれによらず、例えば接続部１１ａ，１１ｂ等に貫通孔を設け、ラック部２２の歯（突起）の向きを係合具で操作できるように変更しても同様の効果を奏することができる。
【符号の説明】
【００４０】
１    本発明の扉取付用のヒンジ
２    固定部材
３    ヒンジ本体
５    空間
９    貫通孔（ラック部の歯に連通する孔）
９ａ  貫通孔の内壁
１０  据付対象物
１７  締付ボルト（切替手段）
２２  ラック部
２２ａ  歯
２４  ドライバ（係合具）
２４ａ  係合片
Ｐ１  ラック部の歯のピッチ
Ｐ２  係合部の係合片のピッチ
【図１】
2011226106.tif 000003
【図２】
2011226106.tif 000004
【図３】
2011226106.tif 000005
【図４】
2011226106.tif 000006
【図５】
2011226106.tif 000007
【図６】
2011226106.tif 000008